(57)【特許請求の範囲】
【請求項１】
コード表面の汚れの除去が容易となるように、あらかじめ水や石鹸水や薬剤に浸漬、又はこれらを塗布したコード（６）を、導入側から排出側へ送る送り手段（１）と、
不織布研磨材でロール状に形成され、その外周面にコード（６）の下面側又は上面側がくい込むＵ字状の溝（１２）が形成された一対の清掃ローラ（８），（９）を前記送り手段（１）により送られるコード（６）の上下に設けた清掃手段（２）とを備え、
前記一対の清掃ローラ（８），（９）は、コード（６）の送り方向に対して抗する方向に回転するように構成されると共に、コードの下面側又は上面側が前記溝（１２）にくい込むようにコードの送り方向に間隔をあけて配置されていることを特徴とするコードの清掃装置。
【請求項２】
前記一対の清掃ローラ（８），（９）の回転軸は、ギア（８ｂ），（９ｂ）によって互いに連結され、同期して逆回転する構成としたことを特徴とする請求項１記載のコードの清掃装置。
【請求項３】
前記一対の清掃ローラ（８），（９）はチェーン（２１）とスプロケット（２２）によって連結され、同期して逆回転する構成としたことを特徴とする請求項１記載のコードの清掃装置。
【請求項４】
前記送り手段（１）により送られるコード（６）が最終端に達した場合に、最終端のコード（６）の動きを検知して、作動を停止するリミットスイッチ（１９）が備えられていることを特徴とする請求項１、２又は３記載のコードの清掃装置。
【発明の詳細な説明】
【技術分野】
【０００１】
本発明はコードの清掃装置に関し、特に、柔軟性のある電源用コードであっても容易に適用可能とし、その表面を確実に清掃するコードの清掃装置に関する。
【背景技術】
【０００２】
一般に、土木建設現場や屋外の作業・業務等で使用される電源用コードリールはレンタル利用されるものがあり、貸出時にきれいな状態でも、返却時にはほこりや付着物等によって汚れた状態で返却されることがある。
土木建設現場等では、コンクリートやモルタルがそのアクと共に付着したもの、塗料やシール剤、目止め剤や鉄粉等が乾燥した状態で付着している場合も多くあり、再び貸し出す業者にとっては、その清掃作業に多大な手間を要するという問題があった。
この清掃作業においては、コードに付着したコンクリートやモルタル、塗料等を研磨シートや布等で何回も拭き取り、汚れが激しいものについては、剥離剤をふりかけ、スクレーパなどで削る作業が必要となる。また、コードを傷付けないよう慎重な作業が求められる。
【０００３】
剥離剤によっては危険物第４類に属する有害なものもあり、人体への影響、引火性などの危険も伴う。
また、電源用コードリール一台を清掃するのに３０分〜４０分の時間を要し、汚損が激しいものでは１時間以上費やすこともある。
さらに、中腰での作業となり人体への負担も大きい。
かかる状況下、ワイヤーロープの清掃装置に関する技術として特許文献１の技術が公知である。
【先行技術文献】
【特許文献】
【０００４】
【特許文献１】特開平１０−２３０２３３
【発明の概要】
【発明が解決しようとする課題】
【０００５】
特許文献１には、ワイヤーロープ上を装置が移動しながら、スクレーパを使用して、付着物を除去する技術が記載されている。
この特許文献１の技術は、ワイヤーロープ上を清掃装置が移動する構成であるため、コードを一定方向に送る機構についての記載はない。
また、スクレーパを使用して強靭なワイヤーを清掃する技術であるため、柔軟性のある電源コードには適用できないという問題があった。
本発明は、かかる従来の問題を解決するためになされたもので、その目的とするところは、柔軟性のある電源用コードであっても容易に適用可能とし、その表面を確実に清掃するコードの清掃装置を提供することにある。
【課題を解決するための手段】
【０００６】
前記目的を達成するための手段として請求項１記載のコードの清掃装置では、コード表面の汚れの除去が容易となるように、あらかじめ水や石鹸水や薬剤に浸漬、又はこれらを塗布したコード（６）を、導入側から排出側へ送る送り手段（１）と、不織布研磨材でロール状に形成され、その外周面にコード（６）の下面側又は上面側がくい込むＵ字状の溝（１２）が形成された一対の清掃ローラ（８），（９）を前記送り手段（１）により送られるコード（６）の上下に設けた清掃手段（２）とを備え、前記一対の清掃ローラ（８），（９）は、コード（６）の送り方向に対して抗する方向に回転するように構成されると共に、コードの下面側又は上面側が前記溝（１２）にくい込むようにコードの送り方向に間隔をあけて配置されていることを特徴とする。
【０００７】
請求項２記載のコードの清掃装置では、請求項１記載のコードの清掃装置において、一対の清掃ローラ（８），（９）の回転軸は、ギア（８ｂ），（９ｂ）によって互いに連結され、同期して逆回転する構成とした。
【０００８】
請求項３記載のコードの清掃装置では、請求項１記載のコードの清掃装置において、一対の清掃ローラ（８），（９）はチェーン（２１）とスプロケット（２２）によって連結され、同期して逆回転する構成とした。
【０００９】
請求項４記載のコードの清掃装置では、請求項1、２又は３記載のコードの清掃装置において、送り手段（１）により送られるコード（６）が最終端に達した場合に、最終端のコード（６）の動きを検知して、作動を停止するリミットスイッチ（１９）が備えられていることを特徴とする。
【発明の効果】
【００１０】
請求項１記載のコードの清掃装置においては、コード表面の汚れの除去が容易となるように、あらかじめ水や石鹸水や薬剤に浸漬、又はこれらを塗布したコード（６）を、導入側から排出側へ送る送り手段（１）と、不織布研磨材でロール状に形成され、その外周面にコード（６）の下面側又は上面側がくい込むＵ字状の溝（１２）が形成された一対の清掃ローラ（８），（９）を前記送り手段（１）により送られるコード（６）の上下に設けた清掃手段（２）とを備え、前記一対の清掃ローラ（８），（９）は、コード（６）の送り方向に対して抗する方向に回転するように構成されると共に、コードの下面側又は上面側が前記溝（１２）にくい込むようにコードの送り方向に間隔をあけて配置されているので、あらかじめコード表面の汚れの除去が容易になるように前処理されたコードを、外周面にコードの下面側又は上面側がくい込むＵ字状の溝を形成した一対の清掃ローラの間を通すことにより、コード表面の付着物を自動的、かつ、確実にかき落とすことができ、しかも、電源用コードのように柔軟性を有するコードであっても傷付けることなく清掃することができる。
【００１１】
請求項２記載のコードの清掃装置においては、一対の清掃ローラの回転軸はギアによって互いに連結され、同期して逆回転する構成としたので、一定方向に送られるコードに対し、その両面からローラが同一の方向に向かって回転してコードの汚れを除去する。
【００１２】
請求項３記載のコードの清掃装置においては、一対の清掃ローラはチェーンとスプロケットによって連結され、同期して逆回転する構成としたので、一定方向に送られるコードに対し、その両面からローラが同一の方向に向かって回転してコードの汚れを除去する。
【００１３】
請求項４記載のコードの清掃装置においては、送り装置により送られるコードが最終端に達した場合に、最終端のコードの動きを検知して、作動を停止するリミットスイッチが備えられているので、清掃作業停止が自動的に行われる。
【図面の簡単な説明】
【００１４】
【図１】コードの清掃装置の概略斜視図である。
【図２】清掃ローラの説明図である。
【図３】コードの清掃装置の概略正面図である。
【図４】コードの清掃装置の概略平面図である。
【図５】コードの清掃装置の概略側面図である。
【図６】チェーンとスプロケットを利用した駆動機構の説明図である。
【発明を実施するための形態】
【００１５】
本発明のコードの清掃装置Ａは、図１〜５に示すように、コードを一定方向（導入側から排出側）に送る送り手段１と、送り手段１によって送られるコードの表面に前部の清掃ローラ８と後部の清掃ローラ９を接触させて、その清掃ローラ８，９との接触によりコード表面の付着物を除去する清掃手段２とを備え、装置本体は架台３によって支持され、本体の外側はフレーム４によって囲われ、本体上方には各種操作ボタンを有する操作盤５が設けられている。
本発明に適用されるコード６は、一般にコードリールに巻回して使用される電源コードが適用されるが、ワイヤー、ロープその他の紐状体に適用することも可能である。
【００１６】
前記清掃手段２は、コード６の導入部に配置されるガイドローラ７と、そのガイドローラ７を介して導入されたコードの下面側を清掃する前部の清掃ローラ８と、その清掃ローラ８にコードを押圧させるテンションローラ１０と、前部の清掃ローラ８の後方に設けられてコードの上面側を清掃する後部の清掃ローラ９と、それら清掃ローラ８，９を駆動するモータ１１を備えている。
前部の清掃ローラ８と後部の清掃ローラ９との回転軸８ａ，９ａは装置内を水平方向へ平行に伸び、二本の回転軸は互いにギア８ｂ、９ｂによって歯合されている（図４参照）。
モータ１１の駆動力はベルトを介して前部の清掃ローラ８の回転軸８ａに伝達され、回転軸８ａが駆動されることによってギア８ｂ、９ｂを介して平行する回転軸９ａも駆動され、２個の清掃ローラ８，９は互いに同期して逆回転する構成とされている。
前記２個の清掃ローラ８，９は互いに同期して逆回転するので、移送されるコード６を上と下から押圧して挟んだ状態で、両方の清掃ローラ８，９がコード６の送り方向に対して抗する方向に回転する。
【００１７】
前記清掃ローラ８，９は不織布研磨材をロール状に加工した所定の厚さを有する円盤状体であり、円盤の外周面にはＵ字状の溝１２が形成されている（図２参照）。
このＵ字状の溝１２は、円盤の外周面の両縁を残して中央部分をコード径に合わせて陥没させたものであり、このＵ字状の陥没部分にコード６が嵌り込み、コード６の外周が清掃ローラと接触して、表面全体の汚れが除去される。
本実施例ではコードの上面側と下面側に清掃ローラ８，９が配置されているので、それらが上面側と下面側からコード全体を清掃する。また、本実施例では、コード径より約２ｍｍ程度小さい径の直径で、上端より１．５〜２ｍｍ深い位置（ｈ）からＵ字状の溝を形成している。
清掃ローラの材質、溝の形状については適用するコードに応じて適宜設定がなされる。
【００１８】
前記送り手段１は、コード６を一定方向（導入側から排出側）に引っ張る装置である。
送り手段１は、清掃手段を通過したコードをガイドするガイドローラ１３と、ガイドローラ１３からのコード６を受ける引っ張り用ホイール１４と、引っ張り用ホイール１４との間にコード６を押圧させるアイドラプーリ１５と、そのアイドラプーリ１５をベルトを介して駆動する駆動プーリ１６と、その駆動プーリ１６を回転させるギアモータ１７と、前記アイドラプーリ１５を引っ張り用ホイール１４へ押し付けるエアシリンダ１８を備えている。
ガイドローラ１３にガイドされたコード６は、引っ張り用ホイール１４上へ導入され、アイドラプーリ１５によって引っ張り用ホイール１４上へ押し付けられる。
アイドラプーリ１５はエアシリンダ１８のピストン伸長によって引っ張り用ホイール１４上へ押圧される。そして、アイドラプーリ１５はモータ１７によって駆動される駆動プーリ１６の回転をベルト伝達されて回転する。そのため、引っ張り用ホイール１４とアイドラプーリ１５に挟まれたコード６はそれらの回転に従って後方へ送られる。
【００１９】
コードの清掃装置Ａのコードの導入側にはリミットスイッチ１９が設けられている。
このリミットスイッチ１９は、電源コードの最終端のコンセントプラグ２０の係止部を有し、この係止部にコードの最終端のプラグ２０を係止することにより、送り手段１によって順次送られるコードが最終端に達した場合に、その最終端のコード６の動きを検知して、それ以上の送り手段によるコードの送り、及び装置の作動を停止する。
【００２０】
次に、本発明のコードの清掃装置Ａの使用方法を説明する。
汚れの付着した処理対象の電源コード６を、ガイドローラ７から清掃ローラ８，９の間に掛け渡し、さらにその先方をガイドローラ１３から引っ張り用ホイール１４とアイドラプーリ１５の間に掛け渡してコード６を装着する。
操作盤５の操作ボタンを押すことにより、エアシリンダ１８のピストンが伸長してアイドラプーリ１５を引っ張り用ホイール１４に押圧する。アイドラプーリ１５はモータ１７によって駆動される駆動プーリ１６からの駆動力をベルトを介して伝導され回転するので、コード６を引っ張り、コード６が前後方向（排出側）へ送られる。
同時に、清掃手段２のモータ１１が駆動し清掃ローラ８，９を回転させてコード６の上面側と下面側を摩擦により清掃する。
２個の清掃ローラ８，９は互いに同期して逆回転するので、移送されるコード６を上と下から挟んだ状態で、コード全体を清掃する。
また、両方の清掃ローラ８，９はコード６の送り方向に対して抗する方向に回転し、清掃ローラ８，９にはコード径に合わせたＵ字状の溝１２が形成されているので、コード６の表面全体の付着物（汚れ）を効率的に除去する。
【００２１】
コードの清掃装置Ａによるコードの清掃が進行し、引き込まれるコードが最終部分に達すると、コードの最終端のコンセントプラグ２０が引き込まれる方向に動いて、リミットスイッチを作動させ、装置の作動を停止する。
装置の作動停止後は、コード６を取り外してコードリールに収容する。
前記コードの清掃に際しては、汚れたコードを水に浸漬して付着物をふやけた状態にして、水からあげて清掃ローラ８，９に通す。また、必要に応じ、コードの汚れの種類、状況等に応じ、石鹸水、薬剤等に浸漬、あるいはそれらを塗布し、コード表面の汚れの除去が容易となるようあらかじめ処理を行う。
【００２２】
以上、本発明の実施例を説明したが、本発明の具体的な構成は本実施例に限定されるものではなく、発明の要旨を逸脱しない範囲における設計変更等があっても本発明に含まれる。
例えば、前記実施例では清掃手段と送り手段のそれぞれにモータ１１，１７を設定したが、１個のモータで清掃手段と送り手段の両方を駆動する構成とすることも可能である。
また、清掃ローラ８，９を回転させる方法については図６に示すように、チェーン２１とスプロケット２２を利用したギアモータ２３による駆動機構を採用することも可能である。
【符号の説明】
【００２３】
Ａ  コードの清掃装置
１  送り手段
２  清掃手段
３  架台
４  フレーム
５  操作盤
６  コード
７  ガイドローラ
８  清掃ローラ
９  清掃ローラ
１０  テンションローラ
１１  モータ
１２  溝
１３  ガイドローラ
１４  引っ張り用ホイール
１５  アイドラプーリ
１６  駆動プーリ
１７  ギアモータ
１８  エアシリンダ
１９  リミットスイッチ
２０  プラグ
２１  チェーン
２２  スプロケット
２３  ギアモータ
【要約】      （修正有）【課題】柔軟性のある電源用コードであっても容易に適用可能とし、その表面を確実に清掃するコードの清掃装置を提供する。【解決手段】コード６を前後方向に送る送り手段１と、送り手段１によって送られるコード６の表面に回転体を接触させて、その回転体との接触によりコード表面の付着物を除去する清掃手段とを備えたコードの清掃装置であって、送られるコード６の一面側と、その反対面側に清掃ローラ８，９を配置し、コード６の両面から付着物を除去する構成とした。【選択図】図１【図１】
0006951720.tif 000002
【図２】
0006951720.tif 000003
【図３】
0006951720.tif 000004
【図４】
0006951720.tif 000005
【図５】
0006951720.tif 000006
【図６】
0006951720.tif 000007